(57)【要約】【課題】集中監視センタに接続されていない場合であっても比較的簡易にガスパージ機能を有効化することができるガスメータ及びその制御方法を提供する。【解決手段】所定流路内が燃料ガスで置換されたかを判断するガスパージャーモードを有したガスメータ１であって、特定の機能を停止させた出荷モードにおいて特定の操作がガスメータ１の操作部に対して行われたかを判断する特定操作判断部５２と、特定操作が行われたと判断した場合に、ガスパージャーモードの有効化及び無効化を切り替える切替部５３とを備える。【選択図】図１
2020098154.tif 000002
【特許請求の範囲】
【請求項１】
所定流路内が燃料ガスで置換されたかを判断するガスパージャーモードを有したガスメータであって、
特定の機能を停止させた出荷モードにおいて特定の操作がガスメータの第１操作部に対して行われたかを判断する特定操作判断手段と、
前記特定操作判断手段により前記特定の操作が行われたと判断された場合に、前記ガスパージャーモードが無効化されているときには前記ガスパージャーモードを有効化状態に切り替える切替手段と、
を備えることを特徴とするガスメータ。
【請求項２】
前記出荷モードにおいて、前記特定の操作と異なる所定の操作がガスメータの第２操作部に対して行われたかを判断する所定操作判断手段と、
前記所定操作判断手段により前記所定の操作が行われたと判断した場合に、前記出荷モードから、前記特定の機能が発揮される通常モードへモード移行させるモード移行手段と、を備え、
前記所定の操作は、前記ガスパージャーモードが有効化されている場合と無効化されている場合とで異なるものである
ことを特徴とする請求項１に記載のガスメータ。
【請求項３】
所定流路内が燃料ガスで置換されたかを判断するガスパージャーモードを有したガスメータの制御方法であって、
特定の機能を停止させた出荷モードにおいて特定の操作がガスメータの第１操作部に対して行われたかを判断する特定操作判断工程と、
前記特定操作判断工程において前記特定の操作が行われたと判断された場合に、前記ガスパージャーモードが無効化されているときには前記ガスパージャーモードを有効化状態に切り替える切替工程と、
を備えることを特徴とするガスメータの制御方法。
【発明の詳細な説明】
【技術分野】
【０００１】
本発明は、ガスメータ及びその制御方法に関する。
【背景技術】
【０００２】
従来、流路内が燃料ガスに置換されたかを判断するガスパージ機能を有したガスメータが提案されている（例えば特許文献１参照）。
【先行技術文献】
【特許文献】
【０００３】
【特許文献１】特開２００４−３６９３７号公報
【発明の概要】
【発明が解決しようとする課題】
【０００４】
ここで、特許文献１に記載のガスメータはガスパージ機能が用いられることが前提となっている。しかし、実際には客先からの要望によりガスパージ機能を無効化した状態でガスメータが出荷されることがある。このため、現場では、無効化されたガスパージ機能を有効化する必要性が生じることもある。このような機能の切替については、集中監視センタからの設定変更や、設定器からの設定変更で対応可能であるが、全てのガスメータが集中監視センタに接続されているわけでなく、また設定器を用いた設定変更についても設定器とガスメータとの接続作業等が生じてしまい決して簡易なものではなかった。
【０００５】
本発明はこのような従来の課題を解決するためになされたものであり、その目的とするところは、集中監視センタに接続されていない場合であっても比較的簡易にガスパージ機能を有効化することができるガスメータ及びその制御方法を提供することにある。
【課題を解決するための手段】
【０００６】
本発明は、所定流路内が燃料ガスで置換されたかを判断するガスパージャーモードを有したガスメータであって、特定の機能を停止させた出荷モードにおいて特定の操作がガスメータの第１操作部に対して行われたかを判断し、特定操作が行われたと判断した場合に、ガスパージャーモードが無効化されているときにはガスパージャーモードを有効化状態に切り替える。
【発明の効果】
【０００７】
本発明によれば、出荷モードにおいて特定の操作がガスメータの第１操作部に対して行われたかを判断し、特定操作が行われたと判断した場合にガスパージャーモードが無効化されているときにはガスパージャーモードを有効化状態に切り替えるため、ガスメータのみに対する操作によってガスパージャーモードを有効化することができる。よって、集中監視センタへ接続されていなくとも、また設定器を用いなくともガスパージ機能を有効化することが可能となり、集中監視センタに接続されていない場合であっても比較的簡易にガスパージ機能を有効化することができる。
【図面の簡単な説明】
【０００８】
【図１】本発明の実施形態に係るガスメータを示すブロック図である。
【図２】本実施形態に係るガスメータの動作の概略を示す遷移図である。
【図３】本実施形態に係るガスメータの制御方法を示すフローチャートである。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１０】
図１は、本発明の実施形態に係るガスメータを示すブロック図である。図１に示すように、本実施形態に係るガスメータ１は、需要者へ供給される燃料ガスの流量を積算表示するものであって、超音波センサ１０と、表示部２０と、テスト遮断スイッチ（以下テスト遮断ＳＷとする）３０と、復帰ボタン４０と、制御部５０とを備えている。
【００１１】
超音波センサ１０は、ガスメータ１内の流路を通過して需要者側に供給される燃料ガスの流量を測定するためのものであり、流路に対して超音波信号を送信して受信されるまでの伝搬時間から燃料ガスの流速を計測するものである。表示部２０は、燃料ガスの積算流量や警告内容等を表示するものである。
【００１２】
テスト遮断ＳＷ３０は、例えばマグネットをガスメータ１の所定箇所に近接させることにより遮断弁（図示せず）を閉動作させるテスト遮断を行うための操作部である。復帰ボタン４０は、ガスメータ１内の流路を閉塞した遮断弁を開動作させるための操作部である。
【００１３】
制御部５０は、ガスメータ１の全体を制御するものであり、記憶部５１と、特定操作判断部（特定操作判断手段）５２と、切替部（切替手段）５３と、所定操作判断部（所定操作判断手段）５４と、モード移行部（モード移行手段）５５とを備えている。
【００１４】
記憶部５１は、ガスメータ１を機能させるための各種プログラム等が記憶されたものである。特に記憶部５１は、ガスメータ１内の所定流路が燃料ガスで置換されてガスパージが完了したかを判断するガスパージャーモードに関するプログラムも記憶されている。なお、ガスパージが完了したかについては、例えば超音波信号の伝搬時間から判断することができる。さらに、記憶部５１には、ガスパージャーモードの有効及び無効を示すビットが存在しており、ビットＯＮ状態でガスパージャーモードが有効化され、ビットＯＦＦ状態でガスパージャーモードが無効化される。
【００１５】
特定操作判断部５２は、特定の機能を停止させた出荷モードにおいて、特定の操作がガスメータ１の第１操作部（復帰ボタン４０）に対して行われたかを判断するものである。ここで、出荷モードとは、工場出荷から設置先に設置されるまでのモードであり、ガスメータ１は出荷モードとされることで、特定の機能が停止させられて電力消費が抑えられた仮眠状態となっている。特定操作判断部５２は、このような出荷モードにおいて、特定の操作が行われたかを判断するものである。本実施形態において特定の操作は復帰ボタン４０の長押し（所定時間以上の継続した押圧操作）である。
【００１６】
切替部５３は、ガスパージャーモードの有効及び無効を切り替えるものである。このため、切替部５３は、特定操作判断部５２により特定操作が行われたと判断した場合に、ガスパージャーモードが無効化されているときにはガスパージャーモードを有効化状態に切り替えることとなる。同様に、切替部５３は、特定操作判断部５２により特定操作が行われたと判断した場合に、ガスパージャーモードが有効化されているときにはガスパージャーモードを無効化状態に切り替えることとなる。切替に際しては、記憶部５１のビット状態がＯＮからＯＦＦに、又はＯＦＦからＯＮに切り替えられる。
【００１７】
所定操作判断部５４は、出荷モードにおいて、特定の操作と異なる所定の操作がガスメータ１の第２操作部（テスト遮断ＳＷ３０及び復帰ボタン４０）に対して行われたかを判断するものである。本実施形態において所定の操作は、ガスパージャーモードが有効化されているか、無効化されているかによって異なるものとなっている。所定の操作は、ガスパージャーモードが有効化されている場合、テスト遮断ＳＷ３０の２回操作後の復帰ボタン４０の操作であり、ガスパージャーモードが無効化されている場合、テスト遮断ＳＷ３０の１回操作後の復帰ボタン４０の操作である。
【００１８】
モード移行部５５は、出荷モードと通常モードとガスパージャーモードとの移行を制御するものである。通常モードは、出荷モードで停止させられていた機能（特定の機能）が発揮されるモードである。ガスメータ１は、この通常モードにおいてガス流量の計測及び積算表示等の運用が行われる。
【００１９】
次に、本実施形態に係るガスメータ１の動作の概略を説明する。図２は、本実施形態に係るガスメータ１の動作の概略を示す遷移図である。
【００２０】
まず出荷前において、ガスパージャーモードが有効化され（ＳＴ１）、且つ、ガスメータ１が出荷モードとされているとする（ＳＴ２）。この状態において復帰ボタン４０の長押し（特定の操作）が行われると、特定操作判断部５２は特定の操作があったと判断し、切替部５３は、記憶部５１のビット状態をＯＦＦに切り替えてガスパージャーモードを無効化状態にする（ＳＴ３）。
【００２１】
また、出荷前において、ガスパージャーモードが無効化され（ＳＴ３）、且つ、ガスメータ１が出荷モードとされているとする（ＳＴ４）。この状態において復帰ボタン４０の長押し（特定の操作）が行われると、特定操作判断部５２は特定の操作があったと判断し、切替部５３は、記憶部５１のビット状態をＯＮに切り替えてガスパージャーモードを有効化状態にする（ＳＴ１）。
【００２２】
このように、本実施形態に係るガスメータ１は、ガスメータ１の復帰ボタン４０に対する操作によってガスパージャーモードの有効化と無効化とを切り替えることができる。
【００２３】
また、ガスパージャーモードが有効化され（ＳＴ１）、且つ、ガスメータ１が出荷モードとされている状態において（ＳＴ２）、所定の操作が行われたとする（ＳＴ５）。ここでの所定の操作は、テスト遮断ＳＷ３０の２回操作後の復帰ボタン４０の操作である。この操作が行われると所定操作判断部５４は、所定の操作があったと判断し、モード移行部５５は、出荷モードからガスパージャーモードにモード移行させる（ＳＴ６）。その後、ガスパージが完了すると、モード移行部５５は、ガスパージャーモードから通常モードにモード移行させる（ＳＴ７）。
【００２４】
一方、ガスパージャーモードが無効化され（ＳＴ３）、且つ、ガスメータ１が出荷モードとされている状態において（ＳＴ４）、所定の操作が行われたとする（ＳＴ８）。ここでの所定の操作は、テスト遮断ＳＷ３０の１回操作後の復帰ボタン４０の操作である。この操作が行われると所定操作判断部５４は、所定の操作があったと判断し、モード移行部５５は、ガスパージャーモードを介することなく、出荷モードから通常モードにモード移行させる（ＳＴ９）。
【００２５】
このように、本実施形態において所定の操作は、ガスパージャーモードが有効化されている場合と無効化されている場合とで異なるものとなっている。このため、ガスパージャーモードが無効化されているにも拘らず、有効化されているとの認識のもと現場の作業者が出荷モードから通常モードへモード移行させてしまう可能性等を抑制することができる。
【００２６】
なお、通常モードとなったガスメータ１については、規定操作を行うことにより（ＳＴ１０，ＳＴ１１）、出荷モードに戻すことができる。出荷モードに戻した場合には、再度特定の操作によってガスパージャーモードの有効化と無効化とを切り替えることができる。
【００２７】
本実施形態において規定の操作とは、例えばテスト遮断ＳＷ３０の２回操作（１回操作であってもよい）である。なお、ここでの規定の操作は、ガスパージャーモードが有効化されているとき（又は無効化されているとき）の所定の操作の一部に該当するが、特にこれに限られるものではない。
【００２８】
次に、本実施形態に係るガスメータ１の制御方法を説明する。図３は、本実施形態に係るガスメータ１の制御方法を示すフローチャートである。なお、図３に示す処理は、ガスメータ１の電源がオフされるまで繰り返し実行される。
【００２９】
まず、図３に示す処理の開始時点においてガスメータ１は出荷モードとなっている。この状態において制御部５０の特定操作判断部５２は、復帰ボタン４０の長押し操作があったかを判断する（Ｓ１：特定操作判断工程）。特定操作判断部５２により復帰ボタン４０の長押し操作があったと判断された場合（Ｓ１：ＹＥＳ）、切替部５３は、記憶部５１のビット状態をＯＮ又はＯＦＦに切り替え、ガスパージャーモードを有効化又は無効化に切替える（Ｓ２：切替工程）。その後、処理はステップＳ１に移行する。
【００３０】
一方、特定操作判断部５２により復帰ボタン４０の長押し操作がなかったと判断された場合（Ｓ１：ＮＯ）、所定操作判断部５４は、ガスパージャーモードが有効化されているかを判断する（Ｓ３）。所定操作判断部５４は、ガスパージャーモードが有効化されていると判断した場合（Ｓ３：ＹＥＳ）、テスト遮断ＳＷ３０が２回操作されたかを判断する（Ｓ４）。
【００３１】
所定操作判断部５４は、テスト遮断ＳＷ３０が２回操作されたと判断した場合（Ｓ４：ＹＥＳ）、所定時間（例えば２分）以内に復帰ボタン４０の操作があったかを判断する（Ｓ５）。所定操作判断部５４により所定時間以内に復帰ボタン４０の操作があったと判断された場合（Ｓ５：ＹＥＳ）、モード移行部５５は、出荷モードからガスパージャーモードにモード移行させる（Ｓ６）。
【００３２】
その後、モード移行部５５は、ガスパージが完了したかを判断する（Ｓ７）。モード移行部５５によりガスパージが完了していないと判断された場合（Ｓ７：ＮＯ）、ガスパージが完了したと判断されるまで、この処理が繰り返される。一方、モード移行部５５は、ガスパージが完了したと判断した場合（Ｓ７：ＹＥＳ）、ガスメータ１をガスパージャーモードから通常モードにモード移行させる（Ｓ１０）。これにより、ガスメータ１の通常の運用が行われることとなる。
【００３３】
ところで、所定操作判断部５４によりテスト遮断ＳＷ３０が２回操作されていないと判断された場合（Ｓ４：ＮＯ）、及び、所定時間以内に復帰ボタン４０の操作がなかったと判断された場合（Ｓ５：ＮＯ）、処理はステップＳ１に移行する。
【００３４】
また、所定操作判断部５４は、ガスパージャーモードが有効化されていないと判断した場合（Ｓ３：ＮＯ）、テスト遮断ＳＷ３０が１回操作されたかを判断する（Ｓ８）。所定操作判断部５４は、テスト遮断ＳＷ３０が１回操作されたと判断した場合（Ｓ８：ＹＥＳ）、所定時間（例えば２分）以内に復帰ボタン４０の操作があったかを判断する（Ｓ９）。所定操作判断部５４により所定時間以内に復帰ボタン４０の操作があったと判断された場合（Ｓ９：ＹＥＳ）、モード移行部５５は、ガスメータ１を出荷モードから通常モードにモード移行させる（Ｓ１０）。これにより、ガスメータ１の通常の運用が行われることとなる。
【００３５】
ところで、所定操作判断部５４によりテスト遮断ＳＷ３０が１回操作されていないと判断された場合（Ｓ８：ＮＯ）、及び、所定時間以内に復帰ボタン４０の操作がなかったと判断された場合（Ｓ９：ＮＯ）、処理はステップＳ１に移行する。
【００３６】
通常モードへ移行後（Ｓ１０の後）、制御部５０は、ガスメータ１の第３操作部（テスト遮断ＳＷ３０）に規定の操作があったかを判断する（Ｓ１１）。
【００３７】
制御部５０によりガスメータ１の第３操作部に規定の操作があったと判断されなかった場合（Ｓ１１：ＮＯ）、第３操作部に規定の操作があったと判断されるまで、この処理が繰り返される。一方、制御部５０によりガスメータ１の第３操作部に規定の操作があったと判断された場合（Ｓ１１：ＹＥＳ）、モード移行部５５は、通常モードから出荷モードにモード移行させる（Ｓ１２）。その後、処理はステップＳ１に移行する。
【００３８】
このようにして、本実施形態に係るガスメータ１及びその制御方法によれば、出荷モードにおいて特定の操作がガスメータ１の第１操作部に対して行われたかを判断し、特定操作が行われたと判断した場合にガスパージャーモードが無効化されているときにはガスパージャーモードを有効化状態に切り替えるため、ガスメータ１のみに対する操作によってガスパージャーモードを有効化することができる。よって、集中監視センタへ接続されていなくとも、また設定器を用いなくともガスパージ機能を有効化することが可能となり、集中監視センタに接続されていない場合であっても比較的簡易にガスパージ機能を有効化することができる。
【００３９】
また、所定の操作がガスメータの第２操作部に行われたと判断した場合に、出荷モードから通常モードへ移行させると共に、所定の操作がガスパージャーモードが有効化されている場合と無効化されている場合とで異なるものである。このため、ガスパージャーモードが無効化されているにも拘らず、有効化されているとの認識のもと現場の作業者が出荷モードから通常モードへモード移行させてしまう可能性を抑制することができる。
【００４０】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００４１】
本実施形態において第１操作部は復帰ボタン４０であるが、特に復帰ボタン４０に限らず、ガスメータ１の他の操作部であってもよい。第２操作部及び第３操作部についても同様に、テスト遮断ＳＷ３０や復帰ボタン４０でなくともよい。
【００４２】
さらに、本実施形態において第１操作部（復帰ボタン４０）は第２操作部（テスト遮断ＳＷ３０及び復帰ボタン４０）の一部であるが、特に、このような関係となっていなくともよい。第３操作部（テスト遮断ＳＷ３０）についても第２操作部（テスト遮断ＳＷ３０及び復帰ボタン４０）の一部であるが、特に、このような関係となっていなくともよい。
【００４３】
また、テスト遮断ＳＷ３０と復帰ボタン４０との全部又は一部で第１〜第３操作部が構成されているが、特にこれに限られるものではない。加えて、第１〜第３操作部のうちいずれか２つ以上が同じとなっていてもよい。一例を挙げると第１及び第２操作部が復帰ボタン４０となっていてもよい。
【００４４】
さらに、本実施形態に係るガスメータ１は、超音波センサ１０を流量センサとして備えているが、これに限らず、他の種類のセンサが用いられていてもよい。また、ガスパージャーモードにおいては超音波信号の伝搬時間からパージ完了が判断されているが、パージ完了は伝搬時間に基づいて判断されなくともよい。
【符号の説明】
【００４５】
１        ：ガスメータ
１０      ：超音波センサ
２０      ：表示部
３０      ：テスト遮断ＳＷ（第２操作部、第３操作部）
４０      ：復帰ボタン（第１操作部、第２操作部）
５０      ：制御部
５１      ：記憶部
５２      ：特定操作判断部（特定操作判断手段）
５３      ：切替部（切替手段）
５４      ：所定操作判断部（所定操作判断手段）
５５      ：モード移行部（モード移行手段）
【図１】
2020098154.tif 000003
【図２】
2020098154.tif 000004
【図３】
2020098154.tif 000005